(57)【要約】  地震衝撃緩和に関する装置に関する発明である。この装置は、一実施形態によれば、地質構造に対する地図および前記地図上の各地点に対する情報を保存するデータベース部と、海底または陸上での火山の爆発によって発生したエネルギーが地震の発生が予測される地震の地点に伝達される経路を前記データベース部で探索し、前記エネルギーが前記地震の地点に伝達される過程で、前記エネルギーを放出させる孔が生成される孔の位置を前記経路上で決定する決定部とを含む。これによって、地震による衝撃が緩和され、また、地震発生を防止することができる。【選択図】図１Ａ
2020521153.tif 000002
【特許請求の範囲】
【請求項１】
地質構造に対する地図および前記地図上の各地点に対する情報を保存するデータベース部と、
海底または陸上での火山の爆発によって発生したエネルギーが地震の発生が予測される地震の地点に伝達される経路を前記データベース部で探索し、前記エネルギーが前記地震の地点に伝達される過程で、前記エネルギーを放出させる孔が生成される孔の位置を前記経路上で決定する決定部と
を含む、地震の衝撃緩和と関連した装置。
【請求項２】
前記データベース部は、前記海底の地形での地熱情報、海流に対する情報および地質構造により決定され振動を増幅させる程度を示す増幅係数に対する情報のうち少なくとも一つを含む、請求項１に記載の地震の衝撃緩和と関連した装置。
【請求項３】
前記決定部は、前記海底の地形での地熱情報に基づいて、前記経路のうち前記地熱が相対的に高い地点を前記孔の位置として決定する、請求項２に記載の地震の衝撃緩和と関連した装置。
【請求項４】
前記決定部は、前記海流に対する情報に基づいて、前記経路のうち相対的に冷たい海流が流れる地点を前記孔の位置として決定する、請求項２に記載の地震の衝撃緩和と関連した装置。
【請求項５】
前記決定部は、前記増幅係数に対する情報に基づいて、前記地震の地点のうち相対的に増幅係数が小さい地点に向かう線の上を、前記孔の位置として決定する、請求項２に記載の地震の衝撃緩和と関連した装置。
【請求項６】
前記火山の爆発によってエネルギーが発生した地点はガラパゴス島であり、前記地震の地点はエクアドルであり、前記経路はカーネギー海底山脈である、請求項１に記載の地震の衝撃緩和と関連した装置。
【請求項７】
前記火山の爆発によってエネルギーが発生した地点は、Ａｎａｔａｈａｎ島、Ｍａｒｉａｎａ島、東北（Ｔｏｈｏｋｕ）の牡鹿半島（Ｏｓｈｉｋａ  Ｐｅｎｉｎｓｕｌａ  ｏｆ  Ｔｏｈｏｋｕ）、フィリピン海プレート（Ｐｈｉｌｉｐｐｉｎｅ  Ｓｅａ  Ｐｌａｔｅ）の沈み込み水域（Ｓｕｂｄｕｃｔｉｏｎ）または太平洋プレート（Ｐａｃｉｆｉｃ  Ｐｌａｔｅ）の沈み込み水域（ｓｕｂｄｕｃｔｉｏｎ）であり、前記地震の地点は日本の東京湾（Ｔｏｋｙｏ  Ｂａｙ）、東北（Ｔｏｈｏｋｕ）または神戸（Ｋｏｂｅ）であり、前記経路はＩｚｕ  Ｉｓｌａｎｄｓ／Ｂｏｎｉｎ  Ｉｓｌａｎｄｓ  ｗｉｔｈ  Ｉｚｕ−Ｂｏｎｉｎ  Ｔｒｅｎｃｈ、Ｍａｒｉａｎａ  Ｉｓｌａｎｄｓ  ｗｉｔｈ  Ｍａｒｉａｎａ  Ｔｒｅｎｃｈ、Ｓｈａｔｓｋｙ  Ｒｉｓｅ  ｗｉｔｈ  Ｊａｐａｎ  ＴｒｅｎｃｈまたはＩｚｕ−Ｓｈｉｃｈｉｔｏ  Ｒｉｄｇｅ  ｗｉｔｈ  Ｎａｎｋａｉ  Ｔｒｏｕｇｈに存在する、請求項１に記載の地震の衝撃緩和と関連した装置。
【請求項８】
前記火山の爆発によってエネルギーが発生した地点はＭｕｒｒａｙ、ＭｅｎｄｏｃｉｎｏまたはＢｌａｎｃｏ  Ｆｒａｃｔｕｒｅ  ｚｏｎｅであり、前記地震の地点はアメリカのカリフォルニア州のＳａｎ  Ａｎｄｒｅａｓ  Ｆａｕｌｔ、Ｉｎｎｅｒ  Ｂｏｒｄｅｒｌａｎｄ、Ｏｕｔｅｒ  Ｂｏｒｄｅｒｌａｎｄ、Ｓｏｕｔｈｅｒｎ  Ｂｏｒｄｅｒｌａｎｄのうち少なくとも１ヶ所であり、前記孔の位置はＣａｓｃａｄｉａ  Ｓｕｂｄｕｃｔｉｏｎ  Ｚｏｎｅに存在する、請求項１に記載の地震の衝撃緩和と関連した装置。
【請求項９】
前記火山の爆発によってエネルギーが発生した地点はＥｒｅｂｕｓ山であり、前記地震の地点はチリであり、前記孔の位置はＩｑｕｉｑｕｅ  ＲｉｄｇｅまたはＪｕａｎ−Ｆｅｒｎａｎｄｅｚ  Ｒｉｄｇｅ  ｗｉｔｈ  Ｃｈｉｌｅ  Ｔｒｅｎｃｈに存在する、請求項１に記載の地震の衝撃緩和と関連した装置。
【請求項１０】
前記火山の爆発によってエネルギーが発生した地点はＥｒｅｂｕｓ山であり、前記地震の地点はペルーであり、前記孔の位置はＮａｚｃａ  Ｒｉｄｇｅ  ｗｉｔｈ  Ｐｅｒｕ  Ｔｒｅｎｃｈに存在する、請求項１に記載の地震の衝撃緩和と関連した装置。
【請求項１１】
前記火山の爆発によってエネルギーが発生した地点はＥａｓｔｅｒ島であり、前記地震の地点はメキシコであり、前記孔の位置は１４  ｈｉｇｈ  ｔｅｍｐｅｒａｔｕｒｅ（≧３５０℃）  ｈｙｄｒｏｔｈｅｒｍａｌ  ｖｅｎｔｓ  ａｎｄ  ｌｏｗ  ｔｅｍｐｅｒａｔｕｒｅ（＜３５℃）  ｂｉｏｌｏｇｉｃａｌ  ｃｏｍｍｕｎｉｔｉｅｓ  ａｌｏｎｇ  ｔｈｅ  ＥＰＲ  ａｘｉｓに存在する、請求項１に記載の地震の衝撃緩和と関連した装置。
【請求項１２】
前記火山の爆発によってエネルギーが発生した地点はエトナ（Ｅｔｎａ）山であり、前記地震の地点はイタリアであり、前記孔の位置はＣａｍｐｉ  ＦｌｅｇｒｅｉのＳｏｌｆａｔａｒａに存在する、請求項１に記載の地震の衝撃緩和と関連した装置。
【請求項１３】
前記孔の位置は、前記カーネギー海底山脈のうち北東側に位置する、請求項６に記載の地震の衝撃緩和と関連した装置。
【請求項１４】
地震の衝撃緩和装置に基づいて地震の衝撃を緩和するための地点を決定する方法において、
火山の爆発によって発生したエネルギーが地震の発生が予測される地震の地点に伝達される経路を、既保存された地質構造に対する地図および前記地図上の各地点に対する情報から探索する段階と、
前記エネルギーが前記地震の地点に伝達される過程で、前記エネルギーを放出させる孔が生成される孔の位置を前記経路上で決定する段階と
を含む、地震の衝撃緩和と関連した方法。
【請求項１５】
前記既保存された情報は、海底地形での地熱情報、海流に対する情報および地質構造により決定され振動を増幅させる程度を示す増幅係数に対する情報のうち少なくとも一つを含む、請求項１４に記載の地震の衝撃緩和と関連した方法。
【請求項１６】
前記決定する段階は、海底地形での地熱情報に基づいて、前記経路のうち前記地熱が相対的に高い地点を前記孔の位置として決定する、請求項１４に記載の地震の衝撃緩和と関連した方法。
【請求項１７】
前記決定する段階は、前記海流に対する情報に基づいて、前記経路のうち相対的に冷たい海流が流れる地点を前記孔の位置として決定する、請求項１４に記載の地震の衝撃緩和と関連した方法。
【請求項１８】
前記決定する段階は、前記増幅係数に対する情報に基づいて、前記地震の地点のうち相対的に増幅係数が小さい地点に向かう線の上を、前記孔の位置として決定する、請求項１４に記載の地震の衝撃緩和と関連した方法。
【請求項１９】
前記火山の爆発によってエネルギーが発生した地点はガラパゴス島であり、前記地震の地点はエクアドルであり、前記孔の位置はカーネギー海底山脈に存在する、請求項１４に記載の地震の衝撃緩和と関連した方法。
【請求項２０】
前記孔の位置は、前記カーネギー海底山脈のうち北東側に位置する、請求項１４に記載の地震の衝撃緩和と関連した方法。
【請求項２１】
地表面に孔を形成する装置であって、前記装置は火山の爆発によって発生したエネルギーが地震の発生が予測される地震の地点に伝達される経路に、前記エネルギーを放出させる孔を形成することを特徴とする、地表面に孔を形成する装置。
【請求項２２】
地表面に孔を形成する装置によって前記地表面に孔を形成する方法であって、
火山の爆発によって発生したエネルギーが地震の発生が予測される地震の地点に伝達される経路に、前記エネルギーを放出させる孔を形成する段階を含む、地表面に孔を形成する方法。
【発明の詳細な説明】
【技術分野】
【０００１】
本発明は地震の衝撃緩和と関連した装置および方法に関する。より詳しくは、火山の爆発（Ｂｉｎｇ）によって発生したエネルギーが地震（Ｂａｎｇ）の発生地点に向かって、特定の海底山脈（Ｒｉｄｇｅ）経路を通じて伝達（Ｃｈａｎｎｅｌｉｎｇ）される時、このようなエネルギーを前述した経路上に形成された複数個の孔（Ｃｕｔ）を通じて冷たい海流に放出（ｒｅｌｅａｓｉｎｇ）させることにより、地震による衝撃を緩和させたり地震発生を防止したりする技術に関する。
【背景技術】
【０００２】
全世界的に見ると、地震により数多くの人的被害が発生したし、今でもその被害が続いている。特にエクアドルの場合、１５４１年以来、これまで約８０，０００人以上が地震により死亡したと集計される。
【０００３】
ここで、エクアドルをはじめとして全世界で発生した地震を詳察すると、その多くが地震発生の前に海底または陸上での火山の爆発があったことを発見することができる。特に、エクアドル（Ｅｃｕａｄｏｒ）の地震について詳察すると、エクアドル付近（９８２ｋｍ西側）のガラパゴス島はガラパゴスホットスポット（Ｇａｌａｐａｇｏｓ  Ｈｏｔ  Ｓｐｏｔ，ＧＨＳ）とも言われるが、火山の爆発が頻繁な島と知られている。表１の記録を参照すると、エクアドルで大規模の地震が発生する前に、ほとんどＧＨＳで火山の爆発が先に発生したことが分かる。
【０００４】
これに基づいて詳察すると、エクアドルの地震発生原因の一つはＧＨＳでの火山の爆発によって発生した地震エネルギー（ｓｅｉｓｍｉｃ  ｅｎｅｒｇｙ）であり得る。
【０００５】
一方、地震発生原因の他の一つは太陽光（ｓｏｌａｒ  ｒａｄｉａｔｉｏｎ）であり得る。太陽光は地表面に吸収されてエネルギーの形態で蓄積される。このように蓄積されたエネルギーも地震発生原因となり得る。
【０００６】
また、地震発生原因のさらに他の一つは地殻（ｔｅｃｔｏｎｉｃ  ｐｌａｔｅ）の動きであり得る。例えばマントル対流などによって地殻が動く場合、このような動きから発生したエネルギーが蓄積され得る。このように蓄積されたエネルギーも地震発生原因となり得る。
【発明の概要】
【発明が解決しようとする課題】
【０００７】
そこで、本発明の解決しようとする課題は、地震発生原因として知られている前述した多様な形態のエネルギーが地震の形態で表出される前に、このようなエネルギーを海底山脈（Ｒｉｄｇｅ）の冷たい海流に放出（ｒｅｌｅａｓｉｎｇ）させることにより、地震による衝撃を緩和させたり地震発生を防止したりする技術に関する。
【０００８】
ただし、本発明の解決しようとする課題はこれに限定されるものではない。
【発明の効果】
【０００９】
一実施形態によると、地震発生原因として知られている前述した多様な形態のエネルギーが地震の形態で表出される前に、このようなエネルギーを冷たい海流が流れる海底山脈の孔に放出（ｒｅｌｅａｓｉｎｇ）させることにより、地震による衝撃を緩和させたり地震発生を防止したりすることができる。これを通じて地震による人的被害を既存より減らすことができるであろう。
【図面の簡単な説明】
【００１０】
【図１Ａ】一実施形態により、エネルギー供給源（ｓｏｕｒｃｅ）であるガラパゴスホットスポット（ＧＨＳ）での火山の爆発（Ｂｉｎｇ）、エネルギーシンカー（ｓｉｎｋｅｒ）であるエクアドルでの地震の発生（Ｂａｎｇ）、エネルギーがカーネギー海底山脈（Ｃａｒｎｅｇｉｅ  Ｒｉｄｇｅ、ＣＡＲ）を通じて伝達される経路（Ｃｈａｎｎｅｌｉｎｇ）、そしてエネルギーの伝達過程でこのようなエネルギーがカーネギー海底山脈に位置した孔（Ｃｕｔ）を通じて放出（ｒｅｌｅａｓｉｎｇ）される過程を、概念的に図示した図面。
【図１Ｂ】図１Ａに図示されたガラパゴス地域での火山活動の回数とエクアドルの地震発生の回数に関するグラフ。
【図１Ｃ】以下の詳細な説明で言及される表１の地震の発生地域の地図を図示する（Ｍ．−Ａ．  Ｇｕｔｓｃｈｅｒ、Ｊ．Ｍａｌａｖｉｅｌｌｅ、Ｓ．Ｌａｌｌｅｍａｎｄ、Ｊ．−Ｙ  Ｃｏｌｌｏｔ、Ｔｅｃｔｏｎｉｃ  ｓｅｇｍｅｎｔａｔｉｏｎ  ｏｆ  ｔｈｅ  Ｎｏｒｔｈ  Ａｎｄｅａｎ  ｍａｒｇｉｎ  ｉｍｐａｃｔ  ｏｆ  ｔｈｅ  Ｃａｒｎｅｇｉｅ  Ｒｉｄｇｅ  ｃｏｌｌｉｓｉｏｎ、Ｅａｒｔｈ  ａｎｄ  Ｐｌｅｎｅｔａｒｙ  Ｓｃｉｅｎｃｅ  Ｌｅｔｔｅｒｓ、１６８、２５５−２７０、１９９９）。
【図２Ａ】特定期間の間のＧＨＳ地域での火山活動の回数とエクアドルの地震発生の回数を毎月測定したものを図示したグラフ。
【図２Ｂ】月別赤道太陽光を示したグラフ。
【図３】一実施形態に係る地震の衝撃緩和と関連した装置の構成を例示的に図示した図面。
【図４】一実施形態により決定部が孔の位置を決定する時に考慮する地形の構造を例示的に図示した図面。
【図５Ａ】エクアドル−カーネギー海底山脈でＢｉｎｇ、Ｂａｎｇ、Ｃｈａｎｎｅｌｉｎｇ、Ｃｕｔメカニズムが適用されることを例示的に図示した図面。
【図５Ｂ】日本−イズアーク（Ｉｚｕ  Ａｒｃ）−ボニンアーク（Ｂｏｎｉｎ  Ａｒｃ）、マリアナアーク（Ｍａｒｉａｎａ  Ａｒｃ）でＢｉｎｇ、Ｂａｎｇ、Ｃｈａｎｎｅｌｉｎｇ、Ｃｕｔメカニズムが適用されることを例示的に図示した図面。
【図５Ｃ】アメリカ−カリフォルニア−ジュアンデフカ海底山脈（Ｊｕａｎ  ｄｅ  Ｆｕｃａ  Ｒｉｄｇｅ）でＢｉｎｇ、Ｂａｎｇ、Ｃｈａｎｎｅｌｉｎｇ、Ｃｕｔメカニズムが適用されることを例示的に図示した図面。
【図５Ｄ】ペルー−ナズカ海底山脈（Ｎａｚｃａ  Ｒｉｄｇｅ）、チリ−Ｉｑｕｉｑｕｅ  海底山脈（Ｉｑｕｉｑｕｅ  Ｒｉｄｇｅ）−ジュアンフェルナンデズ海底山脈（Ｊｕａｎ  Ｆｅｒｎａｎｄｅｚ  Ｒｉｄｇｅ）でＢｉｎｇ、Ｂａｎｇ、Ｃｈａｎｎｅｌｉｎｇ、Ｃｕｔメカニズムが適用されることを例示的に図示した図面。
【図５Ｅ】メキシコ−イーストパシフィック海底山脈（Ｅａｓｔ  Ｐａｃｉｆｉｃ  Ｒｉｄｇｅ）でＢｉｎｇ、Ｂａｎｇ、Ｃｈａｎｎｅｌｉｎｇ、Ｃｕｔメカニズムが適用されることを例示的に図示した図面。
【図５Ｆ】イタリア−シチリ／パンテレニア／カンパニアンボルカニンアーク（Ｓｉｃｉｌｙ／Ｐａｎｔｅｌｌｅｎｉａ／Ｃａｍｐａｎｉａｎ  Ｖｏｌｃａｎｉｎｃ  Ａｒｃ）でＢｉｎｇ、Ｂａｎｇ、Ｃｈａｎｎｅｌｉｎｇ、Ｃｕｔメカニズムが適用されることを例示的に図示した図面。
【図６】一実施形態に係る地震の衝撃緩和と関連した方法の手続きを図示した図面。
【発明を実施するための形態】
【００１１】
以下、添付された図面を参照して本発明の動作原理を詳細に説明する。下記の本発明の説明において、公知の機能または構成に対する具体的な説明が本発明の要旨を不要に曖昧にさせる恐れがあると判断される場合には、その詳細な説明を省略する。そして、後述される用語は本発明での機能を考慮して定義された用語であって、これは使用者、運用者の意図または慣例などにより変わり得る。したがって、その定義は本明細書の全般に亘る内容に基づいて下されるべきである。
【００１２】
図１Ａは一実施形態により、エネルギー供給源（ｓｏｕｒｃｅ）であるガラパゴスホットスポットでの火山の爆発（Ｂｉｎｇ）、エネルギーシンカー（ｓｉｎｋｅｒ）であるエクアドルでの地震の発生（Ｂａｎｇ）、エネルギーがカーネギー海底山脈（Ｃａｒｎｅｇｉｅ  Ｒｉｄｇｅ、ＣＡＲ）を通じて伝達される経路（Ｃｈａｎｎｅｌｉｎｇ）、そしてエネルギーの伝達過程でこのようなエネルギーが冷たい海流が流れるカーネギー海底山脈に位置した孔（Ｃｕｔ）を通じて放出（ｒｅｌｅａｓｉｎｇ）される過程を概念的に図示した図面であり、図１ＢはＧＨＳでの火山活動の回数と地震発生の回数を示したグラフであり、図１Ｃは後述する表１の地震の発生地域の地図である。ただし、図１Ａは本発明の思想が適用される地域の構造を例示的に図示した図面であるので、図１Ａに図示された地域にのみ本発明の思想が限定されて適用されるものではない。例えば、図１Ａで説明される本発明の思想は、エクアドル（図１Ａ）に図示されたものと類似する地域の構造を有する日本（図５Ｂ）、アメリカ（図５Ｃ）、チリ（図５Ｄ）、ペルー（図５Ｄ）、メキシコ（図５Ｅ）、イタリア（図５Ｆ）等にも適用可能である。
【００１３】
図１Ａに図示されたガラパゴスホットスポット（Ｇａｌａｐａｇｏｓ  Ｈｏｔ  Ｓｐｏｔ、ＧＨＳ）は火山活動（Ｂｉｎｇ）が活発な地点である。このようなＧＨＳでの火山活動は地震の誘発原因であるエネルギー供給源（ｓｏｕｒｃｅ）１１のうち一つであり得る。図１Ｂは、１９７７年〜２０１６年間にＧＨＳで発生した火山活動の回数とエクアドルで発生した地震の回数を示したグラフである。図１Ｂにおいて、エクアドルでの地震の回数ｙは、ガラパゴスの火山活動の回数ｘと次のような式で表現可能である（相関係数Ｒ＝０．３２）。
【００１４】
［数学式１］
ｙ＝０．４７＊ｘ＋２．７９
【００１５】
一方、以下では、海底または陸上での火山活動乃至火山の爆発によってエネルギーが供給または生成される過程を「Ｂｉｎｇ」と指し示すことにする。
【００１６】
一方、図１Ａには図示されていないが、地表面に蓄積される太陽光や地表面の動き（例えばマントル対流などから始まる動き）のそれぞれは、火山、ひいては地震を誘発するさらに他のエネルギー供給源のひとつであり得る。例えば、図２Ａは、１９７７年〜２０１６年までＧＨＳで発生した火山の爆発回数、そしてエクアドル、コロンビアそしてペルーで発生した地震の回数を毎月（ｍｏｎｔｈｌｙ）ごとに累積して図示した図面である。図２Ａを参照すると、火山の爆発回数と地震の発生回数は何月（ｍｏｎｔｈ）であるかに対する相関性を有する。ここで何月（ｍｏｎｔｈ）であるかに対する相関性とは、それぞれの月ごとに地表面に蓄積される太陽エネルギーと関連する。すなわち、地表面に蓄積される太陽エネルギーが最高潮となる時に火山の爆発と地震が頻繁に起き得るということである。図２Ｂは、月別赤道太陽光を示したものである。図２Ｂを参照すると、３月および９月に、太陽光が他の月に比べて高いことが分かる。火山（ｖｏｌｃａｎｏ）についても図２Ａを参照すると、図２Ｂと類似の最高点を有する。下記の表１ではＧＨＳでの火山の爆発後２８７日（±１２９標準偏差）後に４２回地震（エクアドル２４回、コロンビア１６回、ペルー２回）が発生した。
【００１７】
ＧＨＳで生成された前述したエネルギーまたは異なる類型の地震誘発エネルギーは、エネルギーシンカー１４であるエクアドル方向に移動する。ここでエネルギーシンカー１４は、地震が発生した地点または地震の発生が予測される地点を意味し、エクアドルはこのようなエネルギーシンカー１４に対する例示的な地域を意味する。以下では、エネルギー供給源１１からエネルギーシンカー１４にエネルギーが移動する経路を「Ｃｈａｎｎｅｌｉｎｇ」と指し示すことにする。
【００１８】
図１Ａに図示されたＣｈａｎｎｅｌｉｎｇについて詳察すると、ＧＨＳで生成されたか、前述したさらに異なる類型の地震誘発エネルギーは、図１Ａには図示されていないが、Ｅｃｕａｄｏｒ  Ｉｎｓｕｌａｒ  Ｓｈｅｌｆ（ＥＩＳ）、ＣＡＲ１２、Ｅｃｕａｄｏｒｉａｎ  Ｔｒｅｎｃｈ、Ｅｃｕａｄｏｒ  Ｃｏｎｔｉｎｅｎｔａｌ  Ｓｈｅｌｆ  （ＥＣＳ）を順に経ながらエクアドル方向に移動する。
【００１９】
ここで、ＣＡＲ１２には複数個の孔１３が形成される。以下では、孔１３を形成する過程を「Ｃｕｔ」と指し示すことにする。ＣＡＲ１２を通じてエクアドル方向に移動しようとするエネルギーのうち一部（殆ど）は、このような複数個の孔１３を通じてエクアドルに到達する前に冷たい海流に放出（ｒｅｌｅａｓｉｎｇ）される。
【００２０】
移動されたエネルギーが一定の水準以上に蓄積されると、エクアドルには地震が発生する。ここで、以下ではエネルギーシンカー１４に蓄積されたエネルギーがこのように地震の形態で発現するのを「Ｂａｎｇ」と指し示すことにする。併せて、前述した「Ｂｉｎｇ」から「Ｂａｎｇ」までに所要される時間を遅延時間（ｌａｇ  ｔｉｍｅ）と指し示すことにする。下記の表１は、１９７７年度〜２０１６年までの各地域でのＢｉｎｇとＢａｎｇ、そしてこのような遅延時間について示している。ＧＨＳでのＢｉｎｇからエクアドルでのＢａｎｇまでは平均２８７日の遅延時間が要されることが分かる。下記の表１で陰影処理された部分は大陸での火山の爆発による地震を示している。残り（陰影処理されていあに部分）はガラパゴス諸島での火山の爆発による地震を意味する。
【００２１】
【表１−１】
2020521153.tif 000003
【表１−２】
2020521153.tif 000004
【００２２】
これを詳察すると、Ｂｉｎｇによって生成されたエネルギー、太陽光や地殻の動きから生成されたエネルギーは、エネルギーシンカー１４に該当するエクアドル（２４回）、コロンビア（１６回）、ペルー（２回）を通じて放出される。したがって、一実施形態によると、孔１３が存在する場合に、エネルギーシンカー１４に伝達されるエネルギーの量は、孔１３が存在しない場合に比べて相対的に少なくなり得る。これは、一実施形態によると、エネルギーシンカー１４で発生する地震の衝撃が緩和されたりまたはエネルギーシンカー１４で地震が発生しないこともあることを意味する。
【００２３】
ここで、前述したように、ＣｈａｎｎｅｌｉｎｇではＧＨＳでの火山の爆発エネルギーがＥＩＳ、ＣＡＲ１２、ＥＣＳを順に経ながら移動するが、孔１３はＣＡＲ１２にのみ形成されている。これは図１Ｃに示した通り、ＣＡＲ１２に北東側に孔を形成する場合に最も効果的にエネルギーを冷たい海流に放出させることができるためである。以下では、このようにＣｈａｎｎｅｌｉｎｇにおいて孔１３を形成する地点を特定する技術について詳察することにする。
【００２４】
図３は一実施形態に係る地震の衝撃緩和と関連した装置の構成を図示した図面であり、このような図３は例示的な図面に過ぎないため、本発明の思想はこれに限定されるものではない。
【００２５】
まず、地震の衝撃緩和関連装置１００は以下で説明する機能を遂行するように、プログラムされた命令語を保存するメモリおよびこのような命令語を実行するマイクロ・プロセッサによって具現可能である。併せて、このような地震の衝撃緩和と関連した装置は、地表面に孔を形成する掘削機のような装置と連結されたりまたはこのような装置に含まれて動作可能である。例えば、地表面に孔を形成する装置は、火山の爆発によって発生したエネルギーが地震の発生が予測される地震の地点に伝達される経路に、このようなエネルギーを冷たい海流に放出させる孔を、以下で説明する孔１３を形成する地点に形成することができる。
【００２６】
図３を参照すると、地震の衝撃緩和関連装置１００はデータベース部１１０および決定部１３０を含む。
【００２７】
データベース部１１０はデータを保存するメモリである。このようなデータベース部１１０は、地質構造に対する地図とこのような地図上の各地点に対する情報を保存する。例えば、データベース部１１０に保存された情報には、各地点のうち、エネルギー供給源１１やエネルギーシンカー１４の位置に対する情報、エネルギー供給源１１からエネルギーシンカー１４にエネルギーが伝達される経路に対する情報、海底地形それ自体に対する情報、海底地形での地熱情報、海流に対する情報、地質構造により決定され、振動を増幅させる程度を示す増幅係数（ｄａｍｐｉｎｇ  ｒａｔｉｏ）に対する情報が、各地点ごとに保存されていてもよい。ここで、海流に対する情報とは、各地点が海底面である場合、海底面の上を流れる海流の方向や温度などを意味し得る。そして、増幅係数とは、振動に脆弱な程度を示す、すなわち振動を増幅させる程度を示す係数を意味するが、これは地質構造によりその値が異なり得る。例えば玄武岩の地質構造での増幅係数は花崗岩の地質構造での増幅係数と異なる。
【００２８】
決定部１３０は、エネルギー供給源１１からエネルギーシンカー１４にエネルギーが伝達される経路をデータベース部１１０に保存された情報に基づいて探索する。例えばエネルギー供給源１１とエネルギーシンカー１４が入力として与えられると、決定部１３０はデータベース部１１０に保存された情報に基づいて経路を探索することができる。
【００２９】
決定部１３０は、エネルギー供給源１１からエネルギーシンカー１４にエネルギーが伝達される経路上で、このようなエネルギーを放出させる孔が生成される位置を決定する。この時、決定部１３０はデータベース部１１０に保存された情報に基づいて決定することができる。
【００３０】
例えば、決定部１３０は、データベース部１１０に保存された海底地形それ自体に対する情報に基づいて孔の位置を決定することができる。図３は決定部１３０が海底地形に対する情報に基づいて孔の位置を決定したことを例示的に図示した図面であり、決定部１３０が決定した孔の位置は識別番号２１０の地点である。図３を参照すると、識別番号２００は海底であり、２２０は海洋、識別番号２１０は海底面のうち上に膨らんで飛び出している部分を指し示す。データベース部１１０には海底地形それ自体に対する情報が保存されているため、決定部１３０は海底面のうち上に膨らんで飛び出している部分２１０をデータベース部１１０に保存された情報の中から選別することができる。もし、海底面のうち上に膨らんで飛び出している部分２１０が前述した経路（エネルギー供給源１１からエネルギーシンカー１４にエネルギーが伝達される経路）上にあるとすれば、決定部１３０はこのような地点２１０を孔の位置として決定することができる。経路上で膨らんで飛び出している地点２１０があれば、この地点２１０は単位面積当たりのエネルギーが最も高いところであり得る。したがって、この地点２１０に孔が位置する場合、相対的に多量のエネルギーが円滑に放出され得る。
【００３１】
また、決定部１３０はデータベース部１１０に保存された海底地形での地熱情報に基づいて、前記経路のうち地熱が相対的に高い地点を孔の位置として決定することができる。一例として、エクアドルで地震が頻繁なエスメルアルダス（Ｅｓｍｅｒａｌｄａｓ）地域と向かい合っている、カーネギー海底山脈のうち北東側に位置することができる。この地点に孔が位置する場合、他の地点に孔が位置する場合より相対的に多量のエネルギーが円滑に放出され得る。
【００３２】
また、決定部１３０はデータベース部１１０に保存された海流に対する情報に基づいて、前記経路のうち相対的に冷たい海流が流れる地点を前記孔の位置として決定することができる。冷たい海流は、孔１３を通じて抜け出た熱を移動させたり冷ます媒介体となり得る。したがって、冷たい海流が流れる地点に孔が位置する場合、孔１３を通じての熱の放出がそうでない場合より円滑に行われ得る。
【００３３】
また、決定部１３０はデータベース部１１０に保存された増幅係数に対する情報に基づいて、エネルギーシンカー１４の中で相対的に増幅係数（ｄａｍｐｉｎｇ  ｒａｔｉｏ）が小さい地点に向かう線の上に孔１３が位置するように決定することができる。これは、増幅係数が小さい地点に向かって移動するエネルギーの量が増えるほど、該当地点での地震の衝撃が低減され得るためである。
【００３４】
ここで、決定部１３０は孔の位置を決定するにおいて前述した多様な要素を組み合わせることができる。例えば、決定部１３０は海底面で上に膨らんで飛び出した部分の上に冷たい海流が流れる地点を選別し、このように選別した地点のうち増幅係数が小さい地点に向かう方向にある地点を孔の位置として決定することができる。一実施形態によると、このような基準に基づいて、エネルギー供給源１１がＧＨＳでありエネルギーシンカー１４がエクアドルである場合に、孔は大きい地震の発生地域と隣接またはこのような大きい地震の発生地域に向かう方面に配置されて、エクアドルに及ぼす地震の衝撃を最小化させることができる、エクアドルで地震が頻繁なエスメルアルダス（Ｅｓｍｅｒａｌｄａｓ）地域と向かい合っている、図１のようにＣＡＲ１２の北東側であり得る。
【００３５】
一方、決定部１３０は孔の大きさ、孔の深さ、孔の個数などを決定することができる。例えば、決定部１３０は移動するエネルギーの量、エネルギーが移動する経路の長さや幅などに基づいて、孔の大きさや深さまたは個数などを決定することができる。
【００３６】
以上で詳察した通り、一実施形態によると、地震の発生原因として知られている前述した多様な形態のエネルギーが地震の形態で表出される前に、このようなエネルギーを経路上の孔を通じて冷たい海流に放出（ｒｅｌｅａｓｉｎｇ）させることにより、地震による衝撃を緩和させたり地震が発生しないようにすることもできる。これを通じて地震による人的被害を既存よりも減らすことができるであろう。
【００３７】
一方、このような実施形態で言及したＢｉｎｇ、Ｂａｎｇ、ＣｈａｎｎｅｌｉｎｇおよびＣｕｔメカニズムは、下記の表２でのように、多様な地域（例えばエクアドル、日本、アメリカ、カリフォルニア、チリ、ペルー、メキシコ、イタリアなど）で適用可能である。１９００年代以降、最近の火山の爆発および地震の回数を各国家別に要約すると、日本（１０８／５１）、アメリカ（４９／８５）、チリ（１３７／１３３）、ペルー（２９／５６）、メキシコ（４２／６４）、イタリア（４／５７）等である。
【００３８】
【表２】
2020521153.tif 000005
【００３９】
参考として、図５Ａ（Ｐａｚｍｉｎｏ  Ｎ．、Ｇｏｍｅｚ  Ｈ．、Ｔｈｅ  Ｇａｌａｐａｇｏｓ  Ｉｓｌａｎｄｓ、Ｅｃｕａｄｏｒｉａｎ  Ｃｈａｍｂｅｒ  ｏｆ  ｔｈｅ  Ｌａｗ  ｏｆ  ｔｈｅ  Ｓｅａ、２００５）は表２で１番が示す地域（地震の発生地域はエクアドル）であり、図５Ｂ（Ｉｚｕ−Ｂｏｎｉｎ−Ｍａｒｉａｎａ  Ａｒｃ  ―  Ｗｉｋｉｐｅｄｉａ）は表２で２番が示す地域（地震の発生地域は日本）であり、図５Ｃ（Ｊｕａｎ＿ｄｅ＿Ｆｕｃａ＿ａｄｖａｎｃｅｄ）は表２で３番が示す地域（地震の発生地域はアメリカ）であり、図５Ｄ（Ｔｈｅ  Ｅｃｕａｄｏｒ／Ｐｅｒｕ  Ｇａｐ、Ｕｎｉｖｅｒｓｉｔｙ  ｏｆ  Ａｒｉｚｏｎａ）は表２で４番と５番が示す地域（４回の地震の発生地域はチリ、５回の地震の発生地域はペルー）であり、図５Ｅ（Ｆｏｒｎａｒｉ  Ｄ．、ｅｔ  ａｌ．、Ｓｕｂｍａｒｉｎｅ  Ｌａｖａ  Ｆｌｏｗ  Ｅｍｐｌａｃｅｍｅｎｔ  ａｔ  ｔｈｅ  Ｅａｓｔ  Ｐａｃｉｆｉｃ  Ｒｉｓｅ  ９°５０’Ｎ：Ｔｈｅ  Ｔｈｅｒｍａｌ  Ｓｔｒｕｃｔｕｒｅ  ｏｆ  ｔｈｅ  Ｏｃｅａｎ  Ｃｒｕｓｔ  ａｎｄ  ｔｈｅ  Ｄｙｎａｍｉｃｓ  ｏｆ  Ｈｙｄｒｏｔｈｅｒｍａｌ  Ｃｉｒｃｕｌａｔｉｏｎ、Ｇｅｏｐｈｙｓｉｃａｌ  Ｍｏｎｏｇｒａｐｈ、１４８、２００４）は表２で６番が示す地域（地震の発生地域はメキシコ）を示している。
【００４０】
ここで、図５Ｂを参照すると、Ｂｏｎｉｎ  ＩｓｌａｎｄｓまたはＯｇａｓａｗａｒａ  ＩｓｌａｎｄｓはＶｏｌｃａｎｏ  Ｉｓｌａｎｄｓを含む。この地域は東洋のガラパゴスという別称を有し、特にＩｗｏ  Ｊｉｍａ  Ｒｉｄｇｅを含む。この地域には、１５の海山（ｓｅａｍｏｕｎｔ）、５の小山（ｋｎｏｌｌ）、３の堆（ｂａｎｋ）がそれぞれ含まれ、これらがｃｈａｎｎｅｌｉｎｇの役割をする。したがって、Ｍａｒｉａｎａ  Ｉｓｌａｎｄｓ（Ｇｕａｍ、Ｓａｉｐａｎ、Ｔｉｎｉａｎ、Ａｇｒｉｈａｎ、Ｒｏｔａ）から出発した火山の力がＢｏｎｉｎ  Ｉｓｌａｎｄｓを経て、Ｉｚｕ  Ｉｓｌａｎｄｓを通り、最終的には日本の本島の東京に地震を起こす力を伝達することができる。したがって、一例として、Ｍａｒｉａｎａ  ＩｓｌａｎｄｓのＡｎａｔａｈａｎ火山で発生した力が、中間地点であるＢｏｎｉｎ  ＩｓｌａｎｄｓのＩｗｏ  Ｊｉｍａ  Ｒｉｄｇｅのｃｈａｎｎｅｌｉｎｇに人為的に孔（ｃｕｔ）を形成することによって、日本の本島に及ぼす地震の強度をを減少させることができる。
【００４１】
併せて、Ｏｓｈｉｋａ  ＰｅｎｉｎｓｕｌａのＴｏｈｏｋｕで発生したＭ９．１規模の強力な地震の力が２０１１年度に津波とともに莫大な被害を発生させた。これをＳｈａｔｓｋｙ  Ｒｉｓｅ（Ｃ．  Ｍｏｏｒｅ、Ｔｈｅ  Ｐｌａｔｅ  ｂｏｕｎｄａｒｙ  ｆａｕｌｔ  ｏｆ  ｔｈｅ  ２０１１  Ｔｏｈｏｋｕ  ｅａｒｔｈｑｕａｋｅ：Ｏｃｅａｎｉｃ  ｐｒｏｖｅｎａｎｃｅ  ａｎｄ  ｅａｒｔｈｑｕａｋｅ  ｇｅｎｅｓｉｓ、２０１５）のＣｈａｎｎｅｌｉｎｇに人為的な孔（Ｃｕｔ）を形成してエネルギーを冷たいＪａｐａｎ  Ｔｒｅｎｃｊに放出（ｒｅｌｅａｓｉｎｇ）させることによって、日本の本島に及ぼす地震の強度を減少させることができる。また、１９９５年に震度６．９の地震がＫｏｂｅで発生した。Ｉｚｕ−Ｓｈｉｃｈｉｔｏ  Ｒｉｄｇｅ（Ｔ．  Ｓｅｎｏ  ｅｔ  ａｌ．、Ｄｅｈｙｄｒａｔｉｏｎ  ｏｆ  ｓｅｒｐｅｎｔｉｎｉｚｅｄ  ｓｌａｂ  ｍａｎｔｌｅ：Ｓｅｉｓｍｉｃ  ｅｖｉｄｅｎｃｅ  ｆｒｏｍ  ｓｏｕｔｈｗｅｓｔ  Ｊａｐａｎ、Ｅａｒｔｈ  Ｐｌａｎｅｔｓ  Ｓｐａｃｅ、５３、８６１−８７１、２００１）のＣｈａｎｎｅｌｉｎｇに人為的な孔（Ｃｕｔ）を形成して日本の本島に及ぼす地震の強度を冷たいＮａｎｋａｉ  Ｔｒｏｕｇｈに放出（ｒｅｌｅａｓｉｎｇ）させることによって、地震の強度を減少させることができる。
【００４２】
前記表２、そして図５Ａ〜５Ｅから把握されるように、地球上で火山が発生（Ｂｉｎｇ）してそれによるエネルギーが地震の発生地域に伝達（Ｃｈａｎｎｅｌｉｎｇ）されると地震が発生（Ｂａｎｇ）とする。この場合、エネルギーが発生する海底の経路上に孔を形成して（Ｃｕｔ）エネルギーを冷たい海流に放出（ｒｅｌｅａｓｉｎｇ）させると、地震の発生による衝撃が緩和され得る。
【００４３】
図６は、一実施形態に係る地震の衝撃緩和と関連した方法の手続きを図示した図面である。図６に図示された方法の手続きは図３に図示された地震の衝撃緩和装置（または地震の衝撃緩和と関連した装置）１００によって遂行され得、併せて、図6に図示された手続きの各段階は例示的に図示されたものに過ぎない。
【００４４】
図６を参照すると、地震の衝撃緩和方法は、火山の爆発によって発生したエネルギーが地震の発生が予測される地震の地点に伝達される経路を、既保存された地質構造に対する地図および前記地図上の各地点に対する情報から探索する段階Ｓ１００と、前記エネルギーが前記地震の地点に伝達される過程で、前記エネルギーを冷たい海流に放出させる孔が生成される孔の位置を前記経路上で決定する段階Ｓ２００を含む。このような地震の衝撃緩和と関連した方法は、前述した地震の衝撃緩和と関連した装置１００を利用して遂行可能であり、その実質的な内容は地震の衝撃緩和と関連した装置１００と同じであるため、これに対する説明は省略することにする。
【００４５】
一方、一実施形態に係る地震の衝撃緩和と関連した方法は、このような方法に含まれた各段階を遂行するようにプログラムされた命令語を保存するコンピュータ読み取り可能記録媒体に保存されたコンピュータプログラムで具現可能である。
【００４６】
本発明に添付されたブロック図の各ブロックとフローチャートの各段階の組み合わせは、コンピュータプログラムインストラクションによって遂行されてもよい。これらコンピュータプログラムインストラクションは、汎用コンピュータ、特殊用コンピュータまたはその他プログラム可能なデータプロセシング装備のプロセッサに搭載され得るので、コンピュータまたはその他プログラム可能なデータプロセシング装備のプロセッサを通じて遂行されるそのインストラクションが、ブロック図の各ブロックまたはフローチャートの各段階で説明された機能を遂行する手段を生成することになる。これらコンピュータプログラムインストラクションは、特定の方式で機能を具現するために、コンピュータまたはその他プログラム可能なデータプロセシング装備を指向できるコンピュータ利用可能またはコンピュータ読み取り可能メモリに保存されてもよいので、そのコンピュータ利用可能またはコンピュータ読み取り可能メモリに保存されたインストラクションは、ブロック図の各ブロックまたはフローチャートの各段階で説明された機能を遂行するインストラクション手段を内包する製造品目を生産することも可能である。コンピュータプログラムインストラクションは、コンピュータまたはその他プログラム可能なデータプロセシング装備上に搭載されてもよいので、コンピュータまたはその他プログラム可能なデータプロセシング装備上で一連の動作段階が遂行されてコンピュータで実行されるプロセスを生成し、コンピュータまたはその他プログラム可能なデータプロセシング装備を遂行するインストラクションは、ブロック図の各ブロックおよびフローチャートの各段階で説明された機能を遂行するための段階を提供することも可能である。
【００４７】
また、各ブロックまたは各段階は、特定された論理的機能を実行するための一つ以上の実行可能なインストラクションを含むモジュール、セグメントまたはコードの一部を示し得る。また、いくつかの代替実施形態では、ブロックまたは段階で言及された機能が順序を外れて発生することも可能であることに注目しなければならない。例えば、相次いで図示されている二つのブロックまたは段階は、実質的に同時に遂行されることも可能であり、またはそのブロックまたは段階が、場合により該当する機能に応じて逆順に遂行されることも可能である。
【００４８】
以上の説明は本発明の技術思想を例示的に説明したものに過ぎず、本発明が属する技術分野で通常の知識を有する者であれば、本発明の本質的な特性から逸脱しない範囲で多様な修正および変形が可能である。したがって、本発明に開示された実施形態は、本発明の技術思想を限定するためのものではなく説明するためのものであって、このような実施形態によって本発明の技術思想の範囲が限定されるものではない。本発明の保護範囲は下記の特許請求の範囲によって解釈されるべきであり、それと同等な範囲内にあるすべての技術思想は本発明の権利範囲に含まれるものと解釈されるべきである。
【図１Ａ】
2020521153.tif 000006
【図１Ｂ】
2020521153.tif 000007
【図１Ｃ】
2020521153.tif 000008
【図２Ａ】
2020521153.tif 000009
【図２Ｂ】
2020521153.tif 000010
【図３】
2020521153.tif 000011
【図４】
2020521153.tif 000012
【図５ａ】
2020521153.tif 000013
【図５ｂ】
2020521153.tif 000014
【図５ｃ】
2020521153.tif 000015
【図５ｄ】
2020521153.tif 000016
【図５ｅ】
2020521153.tif 000017
【図５ｆ】
2020521153.tif 000018
【図６】
2020521153.tif 000019
【国際調査報告】
2020521153.tif 000020
2020521153.tif 000021
2020521153.tif 000022
2020521153.tif 000023